【手続補正書】
【提出日】平成18年5月9日(2006.5.9)
【手続補正１】
【補正対象書類名】特許請求の範囲
【補正対象項目名】全文
【補正方法】変更
【補正の内容】
【特許請求の範囲】
【請求項１】
洗濯物に芳香剤を添加する装置であって、
（ａ）乾燥機と、
（ｂ）該乾燥機中に芳香剤組成物を分配するために該乾燥機内に取り付けられた静電式蒸気発生器と
を備える装置。
【請求項２】
前記乾燥機中に芳香剤組成物を分配する前記静電式蒸気発生器を始動させるように前記乾燥機内に取り付けられた温度センサまたは湿度センサの少なくとも一方をさらに備える、請求項１に記載の装置。
【請求項３】
前記乾燥機中に芳香剤組成物を分配するように前記静電式蒸気発生器を始動させることができるタイミングデバイスをさらに備える、請求項１に記載の装置。
【請求項４】
洗濯物に芳香剤組成物を送り込む方法であって、
（ａ）衣類乾燥機の少なくとも１つの動作パラメータを、該パラメータが第１の所定条件を満たす時を判定するように電子的に監視する工程と、
（ｂ）前記第１の所定条件が満たされると、前記衣類乾燥機中に芳香剤組成物を分配するように静電式蒸気発生器を電子的に始動させる工程と
を含む方法。
【請求項５】
前記動作パラメータは、前記乾燥機の内部の温度、前記乾燥機の内部の湿度レベル、および乾燥サイクルの開始後の経過時間からなる群から選択される、請求項４に記載の方法。
【請求項６】
（ａ）衣類乾燥機の少なくとも１つの動作パラメータを、該パラメータが第２の所定条件を満たす時を判定するように電子的に監視する工程と、
（ｂ）前記第２の所定条件が満たされると、前記静電式蒸気発生器が前記衣類乾燥機中に芳香剤組成物を分配するのを電子的に停止させる工程と
をさらに含む、請求項５に記載の方法。
【請求項７】
前記芳香剤組成物は、グリコール、植物油、および芳香剤からなる、請求項４に記載の方法。
【請求項８】
洗濯物に芳香剤組成物を送り込むシステムであって、
（ａ）乾燥機と、
（ｂ）該乾燥機内に取り付けられた静電式蒸気発生器と、
（ｃ）前記乾燥機内に取り付けられた、前記乾燥機の少なくとも１つの動作パラメータを測定することができるセンサと、
（ｄ）該センサに接続されたプロセッサであって、
（ｉ）前記センサにより測定された前記動作パラメータが第１の所定条件を満たす時を判定し、
（ｉｉ）前記第１の所定条件が満たされると前記衣類乾燥機中に芳香剤組成物を分配するように前記静電式蒸気発生器を始動させる
ようにプログラムされたプロセッサと
を備えるシステム。
【請求項９】
前記動作パラメータは、前記乾燥機の内部の温度、前記乾燥機の内部の湿度レベル、および乾燥サイクルの開始後の経過時間からなる群から選択される、請求項８に記載のシステム。
【請求項１０】
前記プロセッサは、
（ａ）前記センサにより測定された前記動作パラメータが第２の所定条件を満たす時を判定し、
（ｂ）前記第２の所定条件が満たされると、前記静電式蒸気発生器が前記衣類乾燥機中に芳香剤組成物を分配するのを停止させる
ようにさらにプログラムされる、請求項８に記載のシステム。
【請求項１１】
前記静電式蒸気発生器と一体となった槽であって、グリコール、植物油、および芳香剤からなる芳香剤組成物を収容する槽をさらに備える、請求項８に記載のシステム。
【請求項１２】
洗濯物に芳香剤組成物を送り込むシステムであって、
（ａ）乾燥機と、
（ｂ）該乾燥機内に取り付けられた静電式蒸気発生器と、
（ｃ）前記乾燥機内に取り付けられた、前記乾燥機の少なくとも１つの動作パラメータを測定することができるセンサと、
（ｄ）該センサと接続された処理手段であって、
（ｉ）前記センサから前記動作パラメータの測定値を読み取り、
（ｉｉ）前記動作パラメータの測定値を第１の所定条件と比較し、かつ
（ｉｉｉ）前記動作パラメータが前記第１の所定条件と合致すると、前記衣類乾燥機中に芳香剤組成物を分配するように前記静電式蒸気発生器を始動させる
ための処理手段と
を備えるシステム。
【請求項１３】
前記動作パラメータは、前記乾燥機の内部の温度、前記乾燥機の内部の湿度レベル、および乾燥サイクルの開始後の経過時間からなる群から選択される、請求項１２のシステム。
【請求項１４】
前記処理手段はさらに、
（ａ）前記動作パラメータの測定値を第２の所定条件と比較し、かつ
（ｂ）前記動作パラメータが前記第２の所定条件と合致すると、前記静電式蒸気発生器が前記衣類乾燥機中に芳香剤組成物を分配するのを停止させる
ことができる、請求項１２に記載のシステム。
【請求項１５】
前記静電式蒸気発生器と一体となった槽であって、グリコール、植物油、および芳香剤からなる芳香剤組成物を収容する槽をさらに備える、請求項１２に記載のシステム。
【請求項１６】
乾燥機内で使用するための芳香剤組成物であって、
（ａ）グリコールと、
（ｂ）植物油と、
（ｃ）１センチメートルにつき約０．０１〜約１．０マイクロジーメンスの導電率を芳香剤組成物に与えることができる芳香剤と
からなる、芳香剤組成物。
【請求項１７】
前記植物油は、キャノーラ油、ヒマワリ油、ダイズ油、コーン油、ヒマシ油、オリーブ油、ヤシ油、パーム油、およびそれらの組み合わせからなる群から選択される、請求項１６に記載の芳香剤組成物。
【請求項１８】
前記グリコールは、グリセロール、プロピレングリコール、ジプロピレングリコール、トリエチレングリコール、およびそれらの組み合わせからなる群から選択される、請求項１６に記載の芳香剤組成物。
【請求項１９】
前記グリコールは約０．１〜約２０重量パーセントの量で存在し、前記植物油は約０．１〜約８０重量パーセントの量で存在し、前記芳香剤は約１〜約９５重量パーセントの量で存在する、請求項１６に記載の芳香剤組成物。
【請求項２０】
約１０重量パーセントのグリコール、約１０重量パーセントの植物油、および約８０重量パーセントの芳香剤からなる、請求項１６に記載の芳香剤組成物。
【請求項２１】
前記グリコールはグリセロールであり、前記植物油はキャノーラ油である、請求項２０に記載の芳香剤組成物。
【請求項２２】
約０．１〜５０センチポイズの粘度を有する、請求項１６に記載の芳香剤組成物。
【請求項２３】
洗濯物に芳香剤を添加するキットであって、
（ａ）織物用コンディショニング組成物と、
（ｂ）乾燥機内の洗濯物に添加するのに適した、請求項１６乃至２２のいずれか１項に記載の別個の芳香剤組成物と
を含むキット。
【請求項２４】
前記織物用コンディショニング組成物は、洗濯機での洗濯サイクルの際、洗濯物に添加されるように適合されている、請求項２３に記載のキット。
【請求項２５】
前記織物用コンディショニング組成物は、乾燥機での乾燥サイクルの際に洗濯物に添加されるように適合されている、請求項２３に記載のキット。
【請求項２６】
前記芳香剤組成物は、静電的に分配可能な組成物である、請求項２３に記載のキット。
【請求項２７】
前記芳香剤組成物には柔軟剤が実質的に入っていない、請求項２３に記載のキット。
【請求項２８】
前記芳香剤組成物には、グリコール、植物油、および芳香剤からなる、請求項２３に記載のキット。
【請求項２９】
前記グリコールは約０．１〜約２０重量パーセントの量で存在し、前記植物油は約０．１〜約８０重量パーセントの量で存在し、前記芳香剤は約１〜約９５重量パーセントの量で存在する、請求項２８に記載のキット。
【請求項３０】
洗濯物に芳香剤を添加する方法であって、
（ａ）洗濯機または乾燥機内の洗濯物にコンディショニング組成物を添加すること、
（ｂ）続いて乾燥機内の洗濯物に芳香剤組成物を分配すること
とを含む方法。
【請求項３１】
前記芳香剤組成物は前記乾燥機でのクールダウンサイクル中に分配される、請求項３０に記載の方法。
【請求項３２】
前記芳香剤組成物は静電式蒸気発生器により分配される、請求項３０に記載の方法。
【請求項３３】
前記芳香剤組成物には柔軟剤が実質的に入っていない、請求項３０に記載の方法。
【請求項３４】
前記芳香剤組成物は、グリコール、植物油、および芳香剤からなる、請求項３０に記載の方法。
【請求項３５】
前記芳香剤組成物を、乾燥プロセスのクールダウンサイクルの際に乾燥機内の洗濯物に添加する、請求項４に記載の方法。
【請求項３６】
乾燥プロセスのクールダウンサイクルの際に乾燥機内の洗濯物にコンディショニング組成物を添加することをさらに含む、請求項３５に記載の方法。
【請求項３７】
前記芳香剤組成物および前記コンディショニング組成物は、単一の混合物からなる、請求項３６に記載の方法。
【請求項３８】
前記芳香剤組成物は、グリコール、植物油、および芳香剤からなる、請求項３５に記載の方法。
【請求項３９】
前記グリコールは約０．１〜約２０重量パーセントの量で存在し、前記植物油は約０．１〜約８０重量パーセントの量で存在し、前記芳香剤は約１〜約９５重量パーセントの量で存在する、請求項３８に記載の方法。
【請求項４０】
洗濯物中の湿度レベルは約４パーセント未満である、請求項３５に記載の方法。